【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
骨を治療するシステムであって、
ケーブルブロックブロック（１０６）であって、該ケーブルブロック（１０６）の近位面（１４０）内の第１のルーメン近位開口から前記ケーブルブロック（１０６）の遠位面（１４２）内の第１のルーメン遠位開口まで延在し、拡大端部（１３４）を含む締結ケーブル（１０４）をスライド自在に通して受けるサイズおよび形状を有する第１のルーメン（１４４）を含み、前記ケーブルブロック（１０６）の前記近位面（１４０）内の第２のルーメン近位開口から前記ケーブルブロック（１０６）の前記遠位面（１４２）内の第２のルーメン遠位開口まで延在し、前記拡大端部（１３４）から延在する前記ケーブル（１０４）の部分を通して受けると同時に前記拡大端部（１３４）が通り抜けるのを防ぐサイズおよび形状を有する第２のルーメン（１４６）をさらに含み、前記第１および第２のルーメン（１４４、１４６）の遠位部分を連結し、前記第２のルーメン（１４６）と少なくとも同程度の大きさの直径を有するスロット（１４８）を含む、前記ケーブルブロック（１０６）と、
固定部材（１５０）であって、前記拡大端部か（１３４）ら延在する前記ケーブル（１０４）の前記部分をスライド自在に受けるサイズの導管（１５２）、及び前記第２のルーメン近位開口を取り囲む前記ケーブルブロック（１０６）の近位面（１４０）の部分に突き当たるように構成された近位当接面（１５４）を含み、前記ケーブル上の所望の位置で前記固定部材を固定するために前記ケーブル（１０４）に被せて圧着することのできる材料で形成されている、前記固定部材（１５０）と、
を備えるシステム。
【請求項２】
前記第２のルーメン（１４６）は、前記スロット（１４８）の近位端以上の遠位にはない交点において前記ケーブルブロック（１０６）内で前記第１のルーメン（１４４）と交差する、請求項１に記載のシステム。
【請求項３】
前記スロット（１４８）の直径が前記第２のルーメン（１４６）と略等しい、請求項１に記載のシステム。
【請求項４】
前記骨に対して所望の位置に保持されるべき骨板（１０２）であり、締結ケーブル（１０４）が前記板（１０２）に沿って長手方向にスライドするのを防ぐようにそれぞれが前記ケーブル（１０４）の幅を受け入れるサイズおよび形状を有する、前記板（１０２）の近位面（１１８）の縁部（１２６）に沿った複数の溝（１２８）を含む前記板（１０２）をさらに備える、請求項１〜３の何れか１項に記載のシステム。
【請求項５】
中を貫通して長手方向に延在する第３のルーメン（２１４；３１４；４１４）を有する第１の長手方向本体（２０８；３０８；４０８）を含む第１のスリーブ（２０２；３０２；４０２）、及び前記第３のルーメン（２１４；３１４；４１４）内におおむね収容されるサイズの、中を貫通して延在する第４のルーメン（２３２；３３２；４３２）を定義する第２の長手方向本体（２２６；３２６；４２６）を含む第２のスリーブ（２０４；３０４；４０４）を含み、前記固定部材（１５０）および前記ケーブル（１０４）を中にスライド自在に受けることのできる開いた構成と、前記ケーブルに被せて前記固定部材（１５０）を圧着するために、前記第１および第２の長手方向本体（２０８；３０８；４０８、２２６；３２６；４２６）が圧着装置（２００；３００；４００）の長手方向軸を中心として互いに対して回転される圧着構成との間で動かすことのできる圧着装置（２００；３００；４００）更に備えた請求項１〜４の何れか１項に記載のシステム。
【請求項６】
前記第４のルーメン（２３２；３３２；４３２）の遠位開口の直径が、前記遠位開口から近位方向に延在する前記第４のルーメン（２３２；３３２；４３２）の部分の直径より小さく、前記長手方向軸に対して中心がずれており、
前記第３のルーメン（２１４；３１４；４１４）の遠位開口の直径が、前記遠位開口から近位方向に延在する前記第３のルーメンの部分の直径より小さく、前記長手方向軸に対して中心がずれており、
前記第３および第４のルーメンの前記遠位開口は、前記開いた構成では前記固定部材（１５０）を通して受けるために位置合わせされ、前記圧着構成では前記ケーブルに被せて前記固定部材（１５０）を圧着するためにずらされる、請求項５に記載のシステム。
【請求項７】
前記圧着装置は、前記第４のルーメン（２３２）内におおむね収容され、前記第４のルーメン（２３２）に対して回転させて切断構成にすることのできる第３の長手方向本体（２４２）であって、前記開いた構成にあるときには前記第３および第４のルーメン（２１４、２３２）の前記遠位開口とおおむね位置合わせされており、前記固定部材（１５０）から近位方向に延在する前記ケーブル（１０４）の部分を切断するために第５のルーメン（２４８）と前記第３および第４のルーメンの前記遠位開口との位置合わせがずらされる切断構成へと動かすことのできる、中を貫通して延在する前記第５のルーメン（２４８）を含む前記第３の長手方向本体（２４２）を含む第３のスリーブ（２０６）を更に含む、請求項６に記載のシステム。
【請求項８】
前記第１のスリーブ（２０２）は前記第１の長手方向本体（２０８）の前記近位端から側方に延在する四分円歯車（２２２）を含み、
前記第２のスリーブ（２０４）は、前記第１および第２のスリーブ（２０２、２０４）が互いに対して選択的に回転可能なように固定されるように、前記四分円歯車の爪歯止係合歯（２３８）を含む、請求項６又は請求項７に記載のシステム。
【請求項９】
前記第２の長手方向本体は前記第２の長手方向の円筒部の遠位端（３２８）から遠位方向に延在する突出部（３３４）を含み、前記突出部（３３４）の縁部が前記第４のルーメン（３３０）の遠位開口（３３２）に隣接しており、前記第３のルーメン（３１４）の遠位開口が前記開いた構成で前記突出部（３３４）を受け、前記第４のルーメン（３３０）を露出させるサイズおよび形状を有し、前記固定部材（１５０）は、前記第１および第２の長手方向本体（３０８、３２６）が動かされて前記圧着構成になる際に、前記遠位開口（３３２）の縁部と前記突出部（３３４）の前記縁部の間で圧着される、請求項５に記載のシステム。
【請求項１０】
前記第１の長手方向本体（４０８）は第６のルーメン（４４２）と、前記第３のルーメン（４１４）の部分の周りで半径方向に延在する前記第１の長手方向の円筒部の遠位端部のくぼみ（４１６）とを含み、
前記第６のルーメン（４４２）は、前記第６のルーメン（４４２）が前記くぼみ（４１６）の側方面（４１８）に隣接して前記くぼみ（４１６）を貫通して延在するように前記第３のルーメン（４１４）と平行に延在し、前記固定部材（１５０）および前記ケーブル（１０４）を受け入れるサイズおよび形状を有し、前記第２の長手方向本体（４２６）は、前記開いた構成にあるときに、突出部（４３４）が前記くぼみ（４１６）内に受けられ、前記第６のルーメン（４４２）を露出させるように位置決めされる、前記第２の長手方向本体（４２６）の遠位端（４２８）から外方に半径方向に延在する突出部（４３２）を含み、前記第１および第２の長手方向本体（４０８、４２６）の前記圧着位置への移動によって前記突出部（４３２）の側方面と前記くぼみの前記側方面の間で前記固定部材（１５０）が圧着される、請求項５に記載のシステム。
【請求項１１】
前記第１のスリーブ（２０２；３０２；４０２）は前記第１の長手方向本体（２０８；３０８；４０８）の近位端から側方に延在する第１のハンドル（２１８；３２２；４２２）を含み、
前記第２のスリーブ（２０４；３０４；４０４）は前記第２の長手方向本体（２２６；３２６；４２６）の近位端から側方に延在する第２のハンドル（２３６；３３８；４３８）を含み、
前記第１および第２のハンドルは、前記第１および第２のハンドルを互いに他方の方へ近づけたり他方から離したりすることによって前記開いた構成と前記圧着構成との間で前記第１および第２のスリーブを回転させるように配置されている、請求項５〜１０の何れか１項に記載のシステム。
【請求項１２】
前記スロット（１４８）は、前記ケーブル（１４４）の前記拡大端部（１３４）が通り抜けるのを許可するサイズ及び形状を有する前記第１のルーメン（１４４）と共に配置された第１の部分と、前記第２のルーメン（１４６）の直径と実質的に等しい幅を有する前記第２のルーメン（１４６）に向かって前記第１の部分から横に延在する第２の部分と、を含む請求項１〜１１の何れか１項に記載のシステム。